(57)【要約】【課題】テープケーブルを布設する際の作業効率を向上させるともに、テープケーブル表面の疵付きを防止するテープケーブル布設用治具およびそれを用いた布設方法を提供する。【解決手段】テープケーブルを布設する際に使用するテープケーブル布設用治具であって、前記テープケーブルの下面を支える支持部材と、該支持部材を床から支える支柱とを有し、前記支持部材左右両端の上部の天井面との接触面に弾性部材を設け、該支持部材のテープケーブルとの接触面に磁性部材を設けたことを特徴とするテープケーブル布設用治具およびそれを用いた布設方法。【選択図】  図１
2008153139.tif 000002
【特許請求の範囲】
【請求項１】
テープケーブルを布設する際に使用するテープケーブル布設用治具であって、前記テープケーブルの下面を支える支持部材と、該支持部材を床から支える支柱とを有し、
前記支持部材左右両端の上部の天井面との接触面に弾性部材を設け、該支持部材のテープケーブルとの接触面に磁性部材を設けたことを特徴とするテープケーブル布設用治具。
【請求項２】
請求項１に記載のテープケーブル布設用治具を用いるテープケーブル布設方法であって、前記支持部材のテープケーブルとの接触面に設けられた磁性部材により、テープケーブルを着脱自在に保持することによって、テープケーブルを布設する施工性を向上させ、テープケーブル表面の疵付きを防止することを特徴とするテープケーブル布設方法。
【発明の詳細な説明】
【技術分野】
【０００１】
本発明は、テープケーブルを布設する際に使用するテープケーブル布設用治具およびそれを用いた布設方法に関する。
【背景技術】
【０００２】
２００２年３月に、電気設備技術基準・解釈第１８６条の改正により、テープケーブル配線工事が可能となった。
【０００３】
テープケーブルとは、建築物の天井等に用いる配線用ケーブルであって、一般に、平形導体合成樹脂絶縁電線、天井面保護層、クロス面保護層、クロス面接地用保護層で構成されており、テープ状のため従来のケーブルに比べて配線スペースを節約することができるため、室内灯や警報機の電源供給用ケーブルとして用いられている。
【０００４】
このテープケーブルの布設は、あらかじめ上面に両面テープを貼付したテープケーブルを天井面に持ち上げて、両面テープを剥がしながら天井面に押し付けて布設するため、テープケーブルを支える作業員と貼り付ける作業員の少なくとも２名の作業員が必要であり、布設作業に多大な人手と時間を要していたうえ、布設の際にテープケーブルが折れたり、テープケーブルの表面に疵を付けないように細心の注意が必要だった。
【０００５】
テープケーブルの使用方法については、従来から種々の提案がなされており、例えば、特開２００１-２１０１３６号公報には、引掛シーリングの内部に、外部電源に接続されたフラットケーブル（テープケーブル）の芯線が接続される３つの端子を具備する端子台を設けることにより、接続される電源ケーブルの配線を容易にするとともに、配線の見栄えを良くする方法が提案されている。
【０００６】
しかし、この方法により引掛シーリングへのケーブルの接続を容易にすることはできるが、テープケーブル自体の布設方法に関しては検討されていなかったため、テープケーブルの布設には従来通り２名以上の作業員が必要であり、布設作業に多大な人手と時間を要していたうえ、布設の際にテープケーブルの表面に疵を付けないように細心の注意が必要という前述の問題点は解決されていなかった。
【特許文献１】特開２００１-２１０１３６号公報
【発明の開示】
【発明が解決しようとする課題】
【０００７】
そこで、本発明は、前述のような従来技術の問題点を解決し、テープケーブルを布設する際の作業効率を向上させるともに、テープケーブル表面の疵付きを防止するテープケーブル布設用治具およびそれを用いた布設方法を提供することを課題とする。
【課題を解決するための手段】
【０００８】
本発明は、前述の課題を解決するために鋭意検討の結果、天井面との接触面に弾性部材を設けるとともに、テープケーブルとの接触面に磁性部材を設けることにより、テープケーブルを布設する際の作業効率を向上させるともに、テープケーブル表面の疵付きを防止するテープケーブル布設用治具およびそれを用いた布設方法を提供するものであり、その要旨とするところは特許請求の範囲に記載したとおりの下記内容である。
（１）テープケーブルを布設する際に使用するテープケーブル布設用治具であって、前記テープケーブルの下面を支える支持部材と、該支持部材を床から支える支柱とを有し、前記支持部材左右両端の上部の天井面との接触面に弾性部材を設け、該支持部材のテープケーブルとの接触面に磁性部材を設けたことを特徴とするテープケーブル布設用治具。
（２）（１）に記載のテープケーブル布設用治具を用いるテープケーブル布設方法であって、前記支持部材のテープケーブルとの接触面に設けられた磁性部材により、テープケーブルを着脱自在に保持することによって、テープケーブルを布設する施工性を向上させ、テープケーブル表面の疵付きを防止することを特徴とするテープケーブル布設方法。
＜作用＞
（１）および（２）の発明によれば、テープケーブルの下面を支える支持部材と、該支持部材を床から支える支柱とを有し、支持部材左右両端の上部の天井面との接触面に弾性部材を設けたことにより治具を簡単に安定して固定することができるうえ、支持部材のテープケーブルとの接触面に磁性部材を設けたことにより、テープケーブルを簡単に着脱することができるので、テープケーブルを支える作業員が必要なく布設作業を１名の作業員で行うことができるため作業効率を著しく向上させることができるうえ、テープケーブル表面の疵付きを防止することができる。
【発明の効果】
【０００９】
本発明によれば、天井面との接触面に弾性部材を設けるとともに、テープケーブルとの接触面に磁性部材を設けることにより、テープケーブルを布設する際の作業効率を向上させるともに、テープケーブル表面の疵付きを防止するテープケーブル布設用治具およびそれを用いた布設方法を提供できるなど、産業上有用な著しい効果を奏する。
【発明を実施するための最良の形態】
【００１０】
本発明を実施するための最良の形態について図１〜図３を用いて詳細に説明する。
【００１１】
図１および図２は、本発明のテープケーブル布設用治具の実施形態を例示する図であり、図１は正面図、図２は側面図を示す。
【００１２】
図１および図２において、１は弾性部材、２は磁性部材、３は支持部材、４は  連結部材、５は長さ調節部、６は支柱、７はバネ、８はテープケーブルを示す。
【００１３】
図１および図２に示すように、本発明のテープケーブル布設用治具は、テープケーブル８を布設する際に使用するテープケーブル布設用治具であって、前記テープケーブル８の下面を支える支持部材３と、該支持部材３を床から支える支柱６とを有し、前記支持部材３左右両端の上部の天井面との接触面に弾性部材１を設け、該支持部材３のテープケーブル８との接触面に磁性部材２を設けたことを特徴とする。
【００１４】
この発明によれば、テープケーブル８の下面を支える支持部材３と、該支持部材３を床から支える支柱６とを有し、支持部材３左右両端の上部の天井面との接触面に弾性部材１を設けたことにより治具を簡単に安定して固定することができるうえ、支持部材３のテープケーブル８との接触面に磁性部材２を設けたことにより、テープケーブル８を簡単に着脱することができるので、テープケーブル８を支える作業員が必要なく布設作業を１名の作業員で行うことができるため作業効率を著しく向上させることができるうえ、テープケーブル８を疵付ける心配がない。
【００１５】
本発明のテープケーブル布設用治具の各構成について以下に説明する。
【００１６】
まず、本発明を適用するテープケーブルとは、建築物の天井等に用いる配線用ケーブルであって、平形導体合成樹脂絶縁電線、天井面保護層、クロス面保護層、クロス面接地用保護層で構成されたテープ状のケーブルをいう。
【００１７】
テープケーブル８の表面に疵が付くと凹凸部が形成され、その上に貼ったクロスにしわが発生する原因となるため、テープケーブル８の下面を支える支持部材３を、図１に示すようにコの字状、もしくは、Ｕ字状にして、テープケーブル８を通す空間を設けることにより、支持部材３がテープケーブル８を直接押さえないようにすることができるので、テープケーブル８の表面に疵を付ける心配がないので、テープケーブル８の表面に凹凸部が形成されることがなく、クロスを貼る際のしわの発生を防止することができる。
【００１８】
本発明においては、支持部材３の材質は問わないが、テープケーブル８を支える強度を有する必要があるため、アルミまたは樹脂製とすることが好ましい。
【００１９】
支持部材３左右両端の上部の天井との接触面に弾性部材１を設けることにより、支持部材３が直接天井に接触することがないので天井を疵付ける心配がないうえ、弾性力による滑り止め効果があるため支持部材３を天井に安定して固定することができる。
【００２０】
本発明においては、弾性部材１の材質は問わないが、汎用性のある軟質のゴム製とすることが好ましく、そのゴムの上部を丸く成形することによって天井の疵付き防止効果をさらに高めることができる。
【００２１】
また、弾性部材１は、接着剤等により支持部材３に固定することができる。
【００２２】
テープケーブル８の表面を覆おう保護層にはブリキ板が用いられており透磁性を有するため、支持部材３のテープケーブル８との接触面に設ける磁性部材２には、磁気の弱いマグネットを用いることによりテープケーブル８が支持部材３上を滑らないうえ、少々の力でもテープケーブル８に疵を付けずに位置をずらすことができるうえ、テープケーブル８の位置決めを正確に行うことができるので真っ直ぐに布設することができ、テープケーブル８を天井に貼り付ける布設作業を効率的に行うことができる。
【００２３】
本発明においては、磁性部材３の磁力の大きさは問わないが、テープケーブル８を500gf〜1kgf程度の力で支持部材３から引き離すことができる磁力とすることが好ましい。
【００２４】
この磁性部材２は、板状の磁石を接着剤等により支持部材３に固定することができるが、支持部材の表面に磁性部材２を埋め込んでもよく、図３に示すように、支持部材３の上面の幅方向に回転軸を有する円筒状のロールを設け、このロール表面に磁力を付与することにより、このロールが回転してテープケーブル８をさらに円滑に移動することができる。
【００２５】
支持部材３と支柱６とを連結する連結部材４は、例えばゴム製のＴ字継ぎ手を用い、その締め付け力により支持部材３と支柱６とを固定することができるうえ簡単に着脱することができ、チョウネジを設けることによりさらに強固に固定することもできる。
【００２６】
支柱６は、市販されている棒を用いることができ、例えば釣竿等に用いられている、差し込んで回転することによって締め付ける回転式の長さ調節部５を設けることにより、天井の高さに合わせて支柱６の長さを適宜調節することができる。
【００２７】
支柱６の下部にはバネ７を設けることにより、支持部材３を天井面に押し付けて固定することができるうえ、テープケーブル８の布設作業中に支柱６に外力かかかった場合でも、その外力を吸収して支持部材３を安定して支えることができる。
【実施例】
【００２８】
図１および図２に示すテープケーブル布設用治具を一般住宅の室内灯用の配線作業に適用したところ、従来２名で数時間かかっていた布設作業を１名で行うことができ作業時間も半減させることができたことから本発明の効果が確認された。
【００２９】
なお、図１および図２の実施例では、テープケーブル布設用治具を１本用いたが、長さ２ｍ以上のテープケーブルを用いる場合にはテープケーブル布設用治具を２本使用することにより、布設作業をさらに効率化することができた。
【図面の簡単な説明】
【００３０】
【図１】本発明のテープケーブル布設用治具の実施形態を例示する正面図である。
【図２】本発明のテープケーブル布設用治具の実施形態を例示する側面図である。
【図３】本発明のテープケーブル布設用治具の好ましい実施形態を例示する詳細図である。
【符号の説明】
【００３１】
１  弾性部材
２  磁性部材
３  支持部材
４  連結部材
５  長さ調節部
６  支柱
７  バネ
８  テープケーブル
【図１】
2008153139.tif 000003
【図２】
2008153139.tif 000004
【図３】
2008153139.tif 000005
【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
平形導体合成樹脂絶縁電線、天井面保護層、クロス面保護層、クロス面接地用保護層で構成されるテープケーブルを布設する際に使用するテープケーブル布設用治具であって、
前記テープケーブルの下面を支える支持部材と、該支持部材を床から支える支柱とを有し、該支持部材はコの字状、もしくは、Ｕ字状にして、テープケーブルを通す空間が設けられており、
前記支持部材左右両端の上部の天井面との接触面に弾性部材を設けたことにより、支持部材がテープケーブルを直接押さえないようにすることができ、テープケーブルの表面に疵を付ける心配がなく、
該支持部材のテープケーブルとの接触面に磁性部材を設け、テープケーブルの表面を覆おうクロス面保護層には透磁性を有するブリキ板が用いられており、支持部材のテープケーブルとの接触面に設けた磁性部材に磁気の弱いマグネットを用いたことによりテープケーブルが支持部材上を滑らないうえ、テープケーブルに疵を付けずに位置をずらすことができるうえ、テープケーブルの位置決めを正確に行うことができることを特徴とするテープケーブル布設用治具。
【請求項２】
請求項１に記載のテープケーブル布設用治具を用いるテープケーブル布設方法であって、前記支持部材のテープケーブルとの接触面に設けられた磁性部材により、テープケーブルを着脱自在に保持することによって、テープケーブルを布設する施工性を向上させ、テープケーブル表面の疵付きを防止することを特徴とするテープケーブル布設方法。
【手続補正２】
【補正対象書類名】明細書
【補正対象項目名】０００８
【補正方法】変更
【補正の内容】
【０００８】
本発明は、前述の課題を解決するために鋭意検討の結果、天井面との接触面に弾性部材を設けるとともに、テープケーブルとの接触面に磁性部材を設けることにより、テープケーブルを布設する際の作業効率を向上させるともに、テープケーブル表面の疵付きを防止するテープケーブル布設用治具およびそれを用いた布設方法を提供するものであり、その要旨とするところは特許請求の範囲に記載したとおりの下記内容である。
（１）平形導体合成樹脂絶縁電線、天井面保護層、クロス面保護層、クロス面接地用保護層で構成されるテープケーブルを布設する際に使用するテープケーブル布設用治具であって、
前記テープケーブルの下面を支える支持部材と、該支持部材を床から支える支柱とを有し、該支持部材はコの字状、もしくは、Ｕ字状にして、テープケーブルを通す空間が設けられており、
前記支持部材左右両端の上部の天井面との接触面に弾性部材を設けたことにより、支持部材がテープケーブルを直接押さえないようにすることができ、テープケーブルの表面に疵を付ける心配がなく、
該支持部材のテープケーブルとの接触面に磁性部材を設け、テープケーブルの表面を覆おうクロス面保護層には透磁性を有するブリキ板が用いられており、支持部材のテープケーブルとの接触面に設けた磁性部材に磁気の弱いマグネットを用いたことによりテープケーブルが支持部材上を滑らないうえ、テープケーブルに疵を付けずに位置をずらすことができるうえ、テープケーブルの位置決めを正確に行うことができることを特徴とするテープケーブル布設用治具。
（２）（１）に記載のテープケーブル布設用治具を用いるテープケーブル布設方法であって、前記支持部材のテープケーブルとの接触面に設けられた磁性部材により、テープケーブルを着脱自在に保持することによって、テープケーブルを布設する施工性を向上させ、テープケーブル表面の疵付きを防止することを特徴とするテープケーブル布設方法。
＜作用＞
（１）および（２）の発明によれば、テープケーブルの下面を支える支持部材と、該支持部材を床から支える支柱とを有し、支持部材左右両端の上部の天井面との接触面に弾性部材を設けたことにより治具を簡単に安定して固定することができるうえ、支持部材のテープケーブルとの接触面に磁性部材を設けたことにより、テープケーブルを簡単に着脱することができるので、テープケーブルを支える作業員が必要なく布設作業を１名の作業員で行うことができるため作業効率を著しく向上させることができるうえ、テープケーブル表面の疵付きを防止することができる。